(57)【要約】【課題】  作図技術の専門性を要することなく容易かつ正確に立体線や仕上線を作図することができ、さらに立体物作製用シートに転写された立体線や仕上線の正確性を容易に確認することができる立体物作製用シートの作製に用いられる基礎シートを提案する。【解決手段】  複数の折線３を印刷してなる立体物作製用シート２の前記折線３印刷前の基礎シート１であって、前記基礎シート１は、正方形状に形成され、シート上に左右上下対象に所定間隔で引かれた碁盤目状線４と、対向するシート頂点５を結ぶ２本の対角線６と、各シート頂点５を中心としてシート辺７の１／２を半径とする４つの１／４円８とを印刷する。【選択図】  図１
2005261574.tif 000002
【特許請求の範囲】
【請求項１】
複数の折線を印刷してなる立体物作製用シートの前記折線印刷前の基礎シートであって、前記基礎シートは、正方形状に形成され、シート上に左右上下対象に所定間隔で引かれた碁盤目状線と、対向するシート頂点を結ぶ２本の対角線と、各シート頂点を中心としてシート辺の１／２を半径とする４つの１／４円とを印刷されたことを特徴とする基礎シート。
【請求項２】
前記碁盤目状線は基礎シートの各辺おのおのを８等分する線よりなる請求項１記載の基礎シート。
【発明の詳細な説明】
【技術分野】
【０００１】
本発明は、例えば折り紙のような平面シートを折畳むことにより立体物を作製し得る立体物作製用シートの作製に用いられる基礎シートに関するものである。
【背景技術】
【０００２】
従来、平面シートを折畳むことにより立体物を作製し得る立体物作製用シートとして、例えば折り紙が提案されている。そして、折り紙は、伝統的な折り手法を用いることを前提として製作されてきた。この伝統的な折り手法とは、辺や角の正確な二等分線をさまざまな技法で折り重ねて立体を構成していくものである。
【０００３】
そして出願人は、立体物作製用シート（折り紙）の普及を図るため、複雑な折り方の手順を記憶することなく、かつ容易に折って立体物を作製することができる立体物作製用シートを提供すると共に、これを用いた立体物作製方法を提案している。
【０００４】
この立体物作製用シートは、図２に示すように、平面シート上に予め印刷された複数の折線３を折畳むことにより立体物を作成し得る立体物作製用シート２において、前記折線は、立体物の完成時に立体の基本的骨格部を構成する立体線２５と、立体物の完成時に立体の装飾的細部を構成する仕上線２７とからなり、前記立体線２５と前記仕上線２７はそれぞれ異なる線種で印刷された構成となっていた（例えば、特許文献１参照。）。
【特許文献１】特願２００４−３３３２２号
【発明の開示】
【発明が解決しようとする課題】
【０００５】
しかしながら、上記立体物作製用シートでは、立体線や仕上線を作図する際に、展開図をトレースしたり、辺や角の正確な二等分線を作図しなければならず、作図のための専門的技術が必要という問題があった。そして上記立体物作製用シートに必要な折線を作図するには、単なる展開図でなく、立体構成の骨子となる立体線だけを展開図の中から選んで作図しなければならず、また立体線を作図するには、垂直線や直角の二等分線などの案内線が必要であり、図の完成時には不要となる多様な線を作図する必要があった。さらに作図された立体線や仕上線が立体物作製用シートに正確に転写されたか否かを確認するのは極めて困難であった。
【０００６】
本発明は、上記問題点に鑑み、作図技術の専門性を要することなく容易かつ正確に立体線や仕上線を作図することができ、さらに立体物作製用シートに転写された立体線や仕上線の正確性を容易に確認することができる立体物作製用シートの作製に用いられる基礎シートを提案することを目的とする。
【課題を解決するための手段】
【０００７】
本発明の立体物作製用シートは、上記目的を達成するため、複数の折線を印刷してなる立体物作製用シートの前記印刷前の基礎シートであって、前記基礎シートは、正方形状に形成され、シート上に左右上下対象に所定間隔で引かれた碁盤目状線と、対向するシート頂点を結ぶ２本の対角線と、各シート頂点を中心としてシート辺の１／２を半径とする４つの１／４円とを印刷されたことを特徴とする。
【０００８】
本発明の基礎シートによれば、辺の２等分線を作図するために上下左右対称の碁盤目状線を引き、また角の２等分線を作図するために２本の対角線を引き、さらにこれらを２等分するための補助線として、各シート頂点を中心としてシート辺の１／２を半径とする４つの１／４円を描いている。そして、シートを立体物にするための折線は、前記基礎シート辺、前記碁盤目状線、前記対角線、前記１／４円各々の交点のいずれか2箇所を結ぶ線と一致する。これにより、作図技術の専門性を要することなく容易かつ正確に立体線や仕上線を作図することができ、さらに立体物作製用シートに転写された立体線や仕上線の正確性を容易に確認することができる立体物作製用シートの作製に用いられる基礎シートを提案することができる。
【０００９】
また、前記碁盤目状線は基礎シートの各辺おのおのを８等分する線より構成すると、立体物作製用シート（折り紙）として、経験的に好適である。
【発明の効果】
【００１０】
本発明によれば、作図技術の専門性を要することなく容易かつ正確に立体線や仕上線を作図することができ、さらに立体物作製用シートに転写された立体線や仕上線の正確性を容易に確認することができる立体物作製用シートの作製に用いられる基礎シートを提案することができる。そして、本発明の基礎シートを用いて作製された立体物作製用シートでは高度な技術や複雑な折り手順が必要なく、ユニバーサルな折り紙としてより普及させることができる。また、短時間に多数を折ることができるので、折り紙の利用機会を増加させることができる。
【発明を実施するための最良の形態】
【００１１】
以下に本発明の実施形態を図１、図２に基づいて詳細に説明する。
【００１２】
本実施形態の基礎シート１は、図２に示すように、複数の折線３を印刷してなる立体物作製用シート２の前記折線３印刷前のものであって、前記基礎シート１は、図１に示すように、正方形状に形成され、シート１上に左右上下対象に所定間隔で引かれた碁盤目状線４と、対向するシート頂点５を結ぶ２本の対角線６と、各シート頂点５を中心としてシート辺７の１／２を半径とする４つの１／４円８とを印刷された構成をしている。
【００１３】
前記碁盤目状線４は、基礎シート１の各辺７おのおのを８等分する線より構成されており、辺７の２等分線を作図する際に目印となる。なお本実施形態において、碁盤目状線４は８等分線としているが、これに限らず、製作する立体物の構造の複雑さにあわせて碁盤目状線４を、４等分線、１６等分線など、２2分線となるように増減しても良い。また前記対角線６は、角の２等分線を作図する際に目印となる。さらに前記１／４円８はシート辺７やシート頂点５を２等分するための補助線となる。
【００１４】
本実施形態において、碁盤目状線４、対角線６、１／４円８は同一線種で形成しているが、線種、線色を替えて形成してもより好ましい。
【００１５】
また、基礎シート１は表計算などの汎用性の高いソフトを用いて作製すれば、コンピュータ上での作図が可能となり好適である。そこで、セル数が縦横同数で、各セルの縦横のサイズが同じであるマトリックス（碁盤目状線４）を作製し、これに２本の対角線６と、各頂点５を中心とする４個の１／４円８を描き基礎シート１としている。なお表計算ソフトの各セル９のサイズを縦横それぞれ８０ピクセルとし、セル９の数は縦横８個形成することで、縦横約１５．５ｍｍのサイズに対応したシート、特に折り紙に好ましいものとなる。
【００１６】
次に基礎シート１から立体物作製用シート２への転用方法の一例について説明する。完成している立体物の外郭を構成している線に、マジックなどで線をつけ展開し、その後、マジックなどで描画されている線（マジック描画線１０）だけを基礎シート１に書き写すことによって、立体物作製用シート２を完成させる。なお、シート２を立体物にするための折線３は、前記基礎シート辺７、前記碁盤目状線４、前記対角線６、前記１／４円８各々の交点のいずれか2箇所を結ぶ線（確認線１１）と一致するため、上記書き写し転用作業の際に、マジック描画線１０が前記確認線１１に一致している場合は正しく転用作業が行なわれたと判断でき、一致しない場合は転用作業が失敗したと判断できる。そして、この転用作業およびその確認作業をパソコンを用いてプログラム上で行なうことでより容易かつ確実に実施することができる。
【産業上の利用可能性】
【００１７】
本発明は、広く普及し、日常多用される折り紙などの立体物作製用シートに適用できるもので、産業上の利用性を満足することができる。
【図面の簡単な説明】
【００１８】
【図１】本発明の実施形態の基礎シートを示す平面図である。
【図２】本実施形態および従来の立体物作製用シートを示す平面図である。
【符号の説明】
【００１９】
１  基礎シート
２  立体物作製用シート
３  折線
４  碁盤目状線
５  シート頂点
６  対角線
７  シート辺
８  １／４円
９  セル
【図１】
2005261574.tif 000003
【図２】
2005261574.tif 000004